【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
縦方向及びそれに直交する横方向と、肌対向面及び着衣対向面と、前ウエスト域と、後ウエスト域と、前記前後ウエスト域間に位置するクロッチ域と、少なくとも前記クロッチ域に配置された吸液構造体とを含む使い捨て着用物品において、
前記吸液構造体は、吸液性コアと、少なくとも前記クロッチ域に位置する第１吸収部と、前記第１吸収部の前記横方向の外側に位置する第２吸収部とを有し、
前記第２吸収部は、前記第１吸収部の前記肌対向面側へ折り曲げられ、かつ、前記縦方向において離間する両端部が前記第１吸収部に固定されており、
前記第２吸収部には、前記縦方向へ延びる側部弾性体が配設されており、
前記折曲された部分には前記吸液性コアが位置し、その少なくとも一部には、前記縦方向に延びる、エンボス加工によって形成された凹状の折曲案内部が位置することを特徴とする着用物品。
【手続補正２】
【補正対象書類名】特許請求の範囲
【補正対象項目名】請求項６
【補正方法】変更
【補正の内容】
【請求項６】
前記吸液性コアは、高吸収性ポリマー粒子とフラッフ木材パルプとの混合物から構成されており、前記折曲案内部が位置する領域において、前記吸液性コアにおける前記フラッフ木材パルプの含有量が他の部分に比して高い請求項１〜５のいずれかに記載の着用物品。
【手続補正３】
【補正対象書類名】明細書
【補正対象項目名】０００８
【補正方法】変更
【補正の内容】
【０００８】
本発明に係る使い捨て着用物品は、前記吸液構造体は、吸液性コアと、少なくとも前記クロッチ域に位置する第１吸収部と、前記第１吸収部の前記横方向の外側に位置する第２吸収部とを有し、前記第２吸収部は、前記第１吸収部の前記肌対向面側へ折り曲げられ、かつ、前記縦方向において離間する両端部が前記第１吸収部に固定されており、前記第２吸収部には、前記縦方向へ延びる側部弾性体が配設されており、前記折曲された部分には前記吸液性コアが位置し、その少なくとも一部には、前記縦方向に延びる、エンボス加工によって形成された凹状の折曲案内部が位置する。
【手続補正４】
【補正対象書類名】明細書
【補正対象項目名】００２７
【補正方法】変更
【補正の内容】
【００２７】
図６を参照すると、第２吸収部４２は、着用状態において着用者の身体に当接する当接面５９Ａとその反対側に位置する非当接面５９Ｂと、第１吸収部４１と連結された基側縁部５０と、基側縁部５０よりも内方へ（縦中心線Ｐ側へ）位置する自由側縁部５１とを有する。第２吸収部４２は、吸収体３４とその身体側を被覆する透液性の身体側ライナ３３とから構成されているので、その外面全体（当接面５９Ａと非当接面５９Ｂ）が親水性を有する。側部弾性体３８は、第２吸収部４２のうちの当接面５９Ａ側に位置しており、身体側ライナ３３と透液性の固定シート５２との間に配置される。固定シート５２はオプションであって、身体側ライナ３３と吸収体３４との間に側部弾性体３８を配置することもできるが、おむつ１０の製造時において、半剛性の吸収体３４に直接的に側部弾性体３８を取り付ける場合に比して、固定シート５２を介在させることによってより安定的に側部弾性体３８を取り付けることができる。また、便宜上、第２吸収部４２は、その幅寸法を２等分する、自由側縁部５１側に位置する第１区域６１と、基側縁部５０側に位置する第２区域６２とに区分される。
【手続補正５】
【補正対象書類名】明細書
【補正対象項目名】００３４
【補正方法】変更
【補正の内容】
【００３４】
図７，９，１０を参照すると、おむつ１０の着用状態において、第２吸収部４２は、側部弾性体３８の収縮力によって着用者の身体１７側へ向かって起立する。通常、弾性体の収縮力によって立体カフ等を起立させる場合には、ゴムの配置された自由側縁部５１のみが着用者の身体１７に当接して立体カフ全体が面状に着用者の身体にフィットし難くなる。本実施形態にかかるおむつ１０においては、第２吸収部４２の幅寸法全体に側部弾性体３８が均等に配置されており、第１区域６１と第２区域６２との側部弾性体３８による縮み寸法がほぼ同様であるので、自由側縁部５１のみではなく第２吸収部４２の当接面５９Ａの全体が着用者の大腿部にほぼ面状に当接する。したがって、自由側縁部５１のみが着用者の身体１７に当接する場合に比して身体１７に対する当接面積が大きく、フィット性に優れ、身体１７につたってきた体液を確実に吸収、保持することができる。
【手続補正６】
【補正対象書類名】明細書
【補正対象項目名】００３５
【補正方法】変更
【補正の内容】
【００３５】
第２吸収部４２はその内部に圧縮弾性の吸液性コア４３を含み所要の厚さと剛性を有するものであるから、例えば、従来のおむつにおける弾性を有するシート部材のみから形成された立体カフ等に比べて着用者の身体１７により安定的にフィットされる。特に、着用者が横臥した状態において、身体１７と第２吸収部４２との間に体液の漏れを原因となるような隙間が形成されるのを抑制することができ、レッグ開口１６から排泄物が横漏れするのを防止することができる。また、本実施形態のように、前後ウエスト域１３，１４が別体の前後ウエストパネル１８，１９から形成されるおむつの場合には、体液を吸収した吸収シャーシ１１がその自重によって適正位置からずり下がって着用者の股下に挟み込まれ易くなるところ、第２吸収部４２が比較的に広範囲に身体１７にフィットしているので、かかるずり下がりを防止することができる。
【手続補正７】
【補正対象書類名】明細書
【補正対象項目名】００４２
【補正方法】変更
【補正の内容】
【００４２】
図１０を参照すると、被覆シート３６のバリアカフ６４は、第２吸収部４２の外側において、カフ弾性体６３の収縮力によって着用者の身体１７に向かって起立する。バリアカフ６４の幅寸法は第２吸収部４２の幅寸法Ｗ１よりも小さいので、それらが起立した状態において、第２吸収部４２の方がバリアカフ６４よりも高くなり、バリアカフ６４が第２吸収部４２全体を覆うことはない。具体的には、クロッチ域１５においてクロッチ域１５の側縁から第２吸収部４２の自由側縁部５１の側縁までの前記横方向Ｘの幅寸法がクロッチ域１５の側縁から被覆シート３６の自由側縁部までの横方向Ｘの寸法よりも大きくなっている。バリアカフ６４は、不透液性又は撥水性であって、着用者の身体１７をつたって第２吸収部４２の当接面５９Ａ側に移動し、かつ、当接面５９Ａに吸収されなかった体液の漏れを防ぐ防漏堤としての機能を有する。また、側部弾性体３８の収縮作用によって起立した第２吸収部４２は、鼠径部間に挟まれて外側に倒伏しやすくなるところ、外側にバリアカフ６４が位置することによって、第２吸収部４２が外側へ倒れ込むのを防止している。すなわち、バリアカフ６４は、第２吸収部４２とともに２重の防漏壁を形成するとともに、第２吸収部の起立を補助する役割を果たすものである。また、既述のとおり、前後ウエスト域１３，１４が前後ウエストパネル１８，１９から形成されたおむつ１０においては、体液を吸収した後に吸収シャーシ１１が自重によって適正位置からずり下がり易くなるところ、第２吸収部４２のみならずバリアカフ６４が身体１７にフィットされるので、かかるずり下がりを防止することができる。
【手続補正８】
【補正対象書類名】明細書
【補正対象項目名】００５０
【補正方法】変更
【補正の内容】
【００５０】
以上に記載した本発明に関する開示は、少なくとも下記事項に整理することができる。
縦方向及びそれに直交する横方向と、肌対向面及び着衣対向面と、前ウエスト域と、後ウエスト域と、前記前後ウエスト域間に位置するクロッチ域と、少なくとも前記クロッチ域に配置された吸液構造体とを含む使い捨て着用物品において、前記吸液構造体は、吸液性コアと、少なくとも前記クロッチ域に位置する第１吸収部と、前記第１吸収部の前記横方向の外側に位置する第２吸収部とを有し、前記第２吸収部は、前記第１吸収部の前記肌対向面側へ折り曲げられ、かつ、前記縦方向において離間する両端部が前記第１吸収部に固定されており、前記第２吸収部には、前記縦方向へ延びる側部弾性体が配設されており、前記折曲された部分には前記吸液性コアが位置し、その少なくとも一部には、前記縦方向に延びる、エンボス加工によって形成された凹状の折曲案内部が位置する。
【手続補正９】
【補正対象書類名】明細書
【補正対象項目名】００５１
【補正方法】変更
【補正の内容】
【００５１】
上記段落に開示した本発明に係る使い捨て着用物品は、少なくとも下記の実施の形態を含むことができる。
（１）前記折曲案内部は、前記横方向において互いに離間して並ぶ複数条の凹状溝から形成される。
（２）前記折曲案内部は、前記縦方向において非連続であって、前記縦方向において互いに離間して配置された複数の圧縮凹部から構成される。
（３）前記圧縮凹部は、高圧縮部とそれを囲む低圧縮部とを有し、前記横方向において隣接する前記凹状溝どうしの前記圧縮凹部が前記横方向において互いに交差しない部分を有する。
（４）前記折曲案内部が、前記吸液構造体の前記肌対向面側から前記着衣対向面側ヘ向かって凹となる。
（５）前記吸液性コアは、高吸収性ポリマー粒子とフラッフ木材パルプとの混合物から構成されており、前記折曲案内部が位置する領域において、前記吸液性コアにおける前記フラッフ木材パルプの含有量が他の部分に比して高い。
（６）前記第２吸収部は、前記吸液構造体の前記肌対向面側に位置し、かつ、着用状態において身体に当接する当接面を有し、前記当接面は親水性を有する。
（７）前記第２吸収部において、前記側部弾性体は前記当接面の側に位置する。
（８）前記吸液構造体は、前記縦方向へ延びるスリットを有し、前記スリットは前記折曲案内部の一部と重なる。
（９）前記吸液構造体に対して着脱可能な吸収パッドをさらに有し、前記吸収パッドの前記縦方向へ延びる両側縁部は、前記第２吸収部における前記両端部間に位置する非固定域と前記第１吸収部との間に位置する。